(57)【要約】【課題】設計自由度を上げ得るようにする。【解決手段】仮保持部４０が、被取付部３２に設けられた仮保持穴４５と、取付用ブラケット３３のブラケット側取付部３４に設けられた仮保持形状部４６とを備え、仮保持穴４５と仮保持形状部４６とが、それぞれ取付穴３５，３６の横位置に形成されると共に、仮保持形状部４６が、仮保持穴４５へ挿入可能で且つ、取付用ブラケット３３の自重を利用して仮保持穴４５へ係止可能に構成されるようにしている。【選択図】図２
2007292256.tif 000002
【特許請求の範囲】
【請求項１】
被取付部材に設定された縦向きの被取付部と、取付用ブラケットに設定された縦向きのブラケット側取付部とを面接触させて、両者間に形成された取付穴に締結具を面直に取付けることにより被取付部材に取付用ブラケットを固定してなる取付構造部に対し、
前記被取付部とブラケット側取付部との間に仮保持部を設けた仮保持構造において、
前記仮保持部が、被取付部に設けられた仮保持穴と、取付用ブラケットのブラケット側取付部に設けられた仮保持形状部とを備え、
仮保持穴と仮保持形状部とが、それぞれ前記取付穴の横位置に形成されると共に、
前記仮保持形状部が、前記仮保持穴へ挿入可能で且つ、前記取付用ブラケットの自重を利用して前記仮保持穴へ係止可能に構成されたことを特徴とする仮保持構造。
【請求項２】
前記仮保持形状部が、前記ブラケット側取付部における取付穴の横位置から側方へ延設された延長部を、仮保持穴の面直方向奥側へ向くよう屈曲形成して成る仮保持穴挿入用片部であることを特徴とする請求項１記載の仮保持構造。
【請求項３】
前記仮保持穴挿入用片部が、仮保持穴の上辺部の裏面側に下方から係止可能な係止部と、仮保持穴の下辺部の表面側に上方から当って前記取付用ブラケットの下方回動を規制可能なストッパ部とを備えたことを特徴とする請求項２記載の仮保持構造。
【請求項４】
前記仮保持穴挿入用片部が、前記仮保持穴の上下寸法よりも大きな上下間隔を有してほぼ水平且つ平行に延びる上辺部および下辺部を有し、
該下辺部の先端側に、先端へ向かって漸縮形状となる斜面部を介して、前記仮保持穴の上下寸法よりも上下間隔が小さくなる穴挿入部が形成され、
前記係止部が、穴挿入部の上側に設けられ、
前記ストッパ部が、斜面部における穴挿入部との境界部から仮保持穴の肉厚分だけ後方寄りの位置に設けられたことを特徴とする請求項３記載の仮保持構造。
【発明の詳細な説明】
【技術分野】
【０００１】
この発明は、仮保持構造に関するものである。
【背景技術】
【０００２】
図４に示すように、被取付部材１に対して取付用ブラケット２を固定する場合に、従来より、被取付部材１に設定された縦向きの被取付部３と、取付用ブラケット２に設定された縦向きのブラケット側取付部４とを面接触させて、両者間に形成された取付穴にネジなどの締結具６を面直に取付けるようにする取付構造部７が採用されている。
【０００３】
そして、このような取付構造部７に対し、縦向きの被取付部３とブラケット側取付部４との間に、手を離した状態でも取付作業を行うことができるようにするための仮保持部８を設けることが行われている。
【０００４】
この場合、仮保持部８は、ブラケット側取付部４の上部に形成されて、被取付部３の上縁部に係止可能なフック状係止部９とされている。
【０００５】
なお、仮保持部には、上記の他にも、例えば、特許文献１のようなものなどが存在する。
【特許文献１】特開平６−１７８０８号公報
【発明の開示】
【発明が解決しようとする課題】
【０００６】
しかしながら、上記図４のものでは、仮保持部８としてブラケット側取付部４の上部にフック状係止部９を設けるようにしているが、このようにした場合、取付用ブラケット２やブラケット側取付部４の形状を決定する上での自由度が無くなり、また、被取付部材１や被取付部３の位置や形状に制約が生じるため、設計自由度が低いという問題があった。
【課題を解決するための手段】
【０００７】
上記課題を解決するために、請求項１に記載された発明では、被取付部材に設定された縦向きの被取付部と、取付用ブラケットに設定された縦向きのブラケット側取付部とを面接触させて、両者間に形成された取付穴に締結具を面直に取付けることにより被取付部材に取付用ブラケットを固定してなる取付構造部に対し、前記被取付部とブラケット側取付部との間に仮保持部を設けた仮保持構造において、前記仮保持部が、被取付部に設けられた仮保持穴と、取付用ブラケットのブラケット側取付部に設けられた仮保持形状部とを備え、仮保持穴と仮保持形状部とが、それぞれ前記取付穴の横位置に形成されると共に、前記仮保持形状部が、前記仮保持穴へ挿入可能で且つ、前記取付用ブラケットの自重を利用して前記仮保持穴へ係止可能に構成された仮保持構造を特徴としている。
【０００８】
請求項２に記載された発明では、前記仮保持形状部が、前記ブラケット側取付部における取付穴の横位置から側方へ延設された延長部を、仮保持穴の面直方向奥側へ向くよう屈曲形成して成る仮保持穴挿入用片部である仮保持構造を特徴としている。
【０００９】
請求項３に記載された発明では、前記仮保持穴挿入用片部が、仮保持穴の上辺部の裏面側に下方から係止可能な係止部と、仮保持穴の下辺部の表面側に上方から当って前記取付用ブラケットの下方回動を規制可能なストッパ部とを備えた仮保持構造を特徴としている。
【００１０】
請求項４に記載された発明では、前記仮保持穴挿入用片部が、前記仮保持穴の上下寸法よりも大きな上下間隔を有してほぼ水平且つ平行に延びる上辺部および下辺部を有し、該下辺部の先端側に、先端へ向かって漸縮形状となる斜面部を介して、前記仮保持穴の上下寸法よりも上下間隔が小さくなる穴挿入部が形成され、前記係止部が、穴挿入部の上側に設けられ、前記ストッパ部が、斜面部における穴挿入部との境界部から仮保持穴の肉厚分だけ後方寄りの位置に設けられた仮保持構造を特徴としている。
【発明の効果】
【００１１】
請求項１の発明によれば、仮保持部が、被取付部に設けられた仮保持穴と、取付用ブラケットのブラケット側取付部に設けられた仮保持形状部とを備え、仮保持穴と仮保持形状部とが、それぞれ取付穴の横位置に形成されると共に、仮保持形状部が、仮保持穴へ挿入可能で且つ、取付用ブラケットの自重を利用して仮保持穴へ係止可能に構成されるようにしたことにより、自重を利用した仮保持が可能となるので手を離した状態でも取付作業を行うことができると共に、取付用ブラケットやブラケット側取付部に形状自由度が生じ、また、被取付部材や被取付部の位置や形状の制約が減るため、設計自由度を上げることができる。
【００１２】
請求項２の発明によれば、前記仮保持形状部が、前記ブラケット側取付部における取付穴の横位置から側方へ延設された延長部を、仮保持穴の面直方向奥側へ向くよう屈曲形成して成る仮保持穴挿入用片部であるようにしたことにより、仮保持形状部を容易に作成することが可能となる。
【００１３】
請求項３の発明によれば、前記仮保持穴挿入用片部が、仮保持穴の上辺部の裏面側に下方から係止可能な係止部と、仮保持穴の下辺部の表面側に上方から当って前記取付用ブラケットの下方回動を規制可能なストッパ部とを備えたことにより、自重を利用した確実な仮保持が可能となる。
【００１４】
請求項４の発明によれば、前記仮保持穴挿入用片部が、前記仮保持穴の上下寸法よりも大きな上下間隔を有してほぼ水平且つ平行に延びる上辺部および下辺部を有し、該下辺部の先端側に、先端へ向かって漸縮形状となる斜面部を介して、前記仮保持穴の上下寸法よりも上下間隔が小さくなる穴挿入部が形成され、前記係止部が、穴挿入部の上側に設けられ、前記ストッパ部が、斜面部における穴挿入部との境界部から仮保持穴の肉厚分だけ後方寄りの位置に設けられたことにより、簡単な加工で有効に機能する仮保持穴挿入用片部を得ることができる。
【発明を実施するための最良の形態】
【００１５】
設計自由度を上げるという目的を、仮保持部が、被取付部に設けられた仮保持穴と、取付用ブラケットのブラケット側取付部に設けられた仮保持形状部とを備え、仮保持穴と仮保持形状部とが、それぞれ取付穴の横位置に形成されると共に、仮保持形状部が、仮保持穴へ挿入可能で且つ、取付用ブラケットの自重を利用して仮保持穴へ係止可能に構成されるようにする、という手段で実現した。
【実施例】
【００１６】
以下、本発明を具体化した実施例について、図示例と共に説明する。
【００１７】
図１〜図３は、この発明の実施例を示すものである。
【００１８】
まず、構成について説明する。自動車などの車両には、車室内の前部にインストルメントパネルが設けられている。このインストルメントパネルの車幅方向１１の中央部などには、車載用のオーディオ装置１２などが取付けられている（図１参照）。
【００１９】
このオーディオ装置１２は、規格寸法を有するほぼ箱型を呈しており、インストルメントパネルの内部に設けられたオーディオブラケット１３に取付けられている。
【００２０】
即ち、インストルメントパネルの内部には、特に図示しないがほぼ車幅方向１１へ向けて延びるステアリングサポートメンバが配設されている。このステアリングサポートメンバにおける車幅方向１１のほぼ中間部からは、ほぼ下方へ延びてステアリングサポートメンバをフロアパネルに支持するためのステー１４が延設されている。通常、オーディオ装置１２は、このステー１４の側部などに設置される。この場合、ステー１４は左右一対設けられており、オーディオ装置１２は、左右のステー１４の間に配設されている。
【００２１】
そして、オーディオブラケット１３として、ステアリングサポートメンバに、オーディオ装置１２の上部を固定するための（オーディオ）アッパブラケットが取付けられ、また、ステー１４に、オーディオ装置１２の下部を固定するための（オーディオ）ロワブラケット１６が取付けられている。一方、オーディオ装置１２には、アッパブラケットに固定するための上方の固定部と、ロワブラケット１６に固定するための下方の固定部１８とを有する固定用ブラケット１９が取付けられている。
【００２２】
このうち、ロワブラケット１６と固定用ブラケット１９の下方の固定部１８との間は、離して設けられているため、両者間に、中間ブラケット２０を介在させるようにしている。この際、下方の固定部１８は、オーディオ装置１２側面の手前側下部の位置に設けられ、ロワブラケット１６は、それよりも奥で且つ下方の位置に設けられているため、中間ブラケット２０は、奥下がりの傾斜部材とされている。なお、この中間ブラケット２０は、金属板材によって構成されており、その面は、オーディオ装置１２の側面にほぼ沿い得るように縦向きとされている。
【００２３】
そして、ロワブラケット１６の取付部２１および下方の固定部１８は、ほぼ車幅方向１１で且つ上下方向へ延びる縦向きの面とされている。これに対応させて、中間ブラケット２０の両端部には、ロワブラケット１６の取付部２１および下方の固定部１８のそれぞれに対して当接固定可能な当接固定部２２，２３が形成されている。この当接固定部２２，２３を形成するために、中間ブラケット２０の両端部は、オーディオ装置１２を基準としてほぼ車幅方向１１外方へ向くようにほぼ垂直に曲折されている。
【００２４】
このような構成に対し、以下のようにしてこの発明を適用する。
【００２５】
まず、この発明の基本構成を説明すると、被取付部材３１に設定された縦向きの被取付部３２と、取付用ブラケット３３に設定された縦向きのブラケット側取付部３４とを面接触させて、両者間に形成された取付穴３５，３６にネジなどの締結具を面直に取付けることにより、被取付部材３１に取付用ブラケット３３を固定可能な取付構造部３９が備えられる。
【００２６】
この場合、ロワブラケット１６を被取付部材３１とし、ロワブラケット１６の取付部２１を被取付部３２とし、中間ブラケット２０を取付用ブラケット３３とし、中間ブラケット２０の奥側の端部（下端部）に形成された当接固定部２２をブラケット側取付部３４としている。
【００２７】
そして、この取付構造部３９に対し、被取付部３２とブラケット側取付部３４との間に仮保持部４０を設けるようにする。
【００２８】
そして、以上のような基本構成に対し、図２に示すように、仮保持部４０が、被取付部３２に設けられた仮保持穴４５と、取付用ブラケット３３のブラケット側取付部３４に設けられた仮保持形状部４６とを備えている。
【００２９】
そして、仮保持穴４５と仮保持形状部４６とが、それぞれ取付穴３５，３６の横位置に形成される。
【００３０】
更に、仮保持形状部４６が、仮保持穴４５へ挿入可能で且つ、取付用ブラケット３３の自重を利用して仮保持穴４５へ係止可能なものとして構成される。
【００３１】
より具体的には、仮保持形状部４６が、ブラケット側取付部３４における取付穴３６の横位置から側方へ延設された延長部４７を、仮保持穴４５の面直方向奥側へ向くように適宜屈曲形成（屈曲部４８）して成る仮保持穴挿入用片部４９とされる。なお、符号５０は、被取付部３２とブラケット側取付部３４との間に介在されて共締めされる樹脂部品片である。そして、この場合、延長部４７は、樹脂部品片を迂回するため、平面視ほぼＵ字状に屈曲されている。
【００３２】
そして、図３に示すように、仮保持穴挿入用片部４９が、仮保持穴４５の上辺部の裏面側に下方から係止可能な係止部５５と、仮保持穴４５の下辺部の表面側に上方から当って取付用ブラケット３３の下方回動を規制可能なストッパ部５６とを備えている。なお、係止部５５は、仮保持穴４５の上辺部の裏面側に面当りし得るものとして構成され、ストッパ部５６は、仮保持穴４５の下辺部の表面側に点当りし得るものとして構成されている。
【００３３】
より詳しくは、仮保持穴挿入用片部４９が、仮保持穴４５の上下寸法よりも大きな上下間隔を有してほぼ水平且つ平行に延びる上辺部５７および下辺部５８を有している。
【００３４】
そして、この下辺部５８の先端側に、先端へ向かって漸縮形状となる斜面部５９を介して、仮保持穴４５の上下寸法よりも上下間隔が小さくなる穴挿入部６０が形成されている。
【００３５】
更に、上記係止部５５が、穴挿入部６０の上側に設けられている。且つ、上記ストッパ部５６が、斜面部５９における穴挿入部６０との境界部６１から仮保持穴４５の肉厚分だけ後方寄りの位置に設けられている。
【００３６】
なお、仮保持穴４５へは、上記した穴挿入部６０、および、斜面部５９におけるほぼストッパ部５６までの部分が挿入されることになる。
【００３７】
次に、この実施例の作用について説明する。
【００３８】
被取付部材３１に設定された縦向きの被取付部３２と、取付用ブラケット３３に設定された縦向きのブラケット側取付部３４とを面接触させて、両者間に形成された取付穴３５，３６にネジなどの締結具を面直に取付けることにより、被取付部材３１に取付用ブラケット３３を固定する。
【００３９】
この取付けに先立って、仮保持部４０を利用して、被取付部３２とブラケット側取付部３４とを仮保持させ、手を離した状態でも取付作業を行うことができるようにする。
【００４０】
この仮保持は、先ず、図３（ａ）に示すように、仮保持形状部４６をほぼ水平な状態にして、仮保持形状部４６先端の穴挿入部６０を仮保持穴４５へ真っ直ぐ挿入する。この状態では、係止部５５はまだ完全には仮保持穴４５を越えていない。
【００４１】
次に、図３（ｂ）に示すように、仮保持形状部４６を先端側が下へ向くよう若干傾けて、図３（ｃ）に示すように、仮保持形状部４６の先端を更に深く仮保持穴４５へ差込んで、係止部５５が仮保持穴４５を越えるようにする。
【００４２】
係止部５５が仮保持穴４５を越えたら、図３（ｄ）に示すように、仮保持形状部４６を水平状態に戻すことにより、図３（ｅ）に示すように、仮保持穴４５に仮保持形状部４６が仮保持される。即ち、仮保持穴挿入用片部４９の係止部５５が、仮保持穴４５の上辺部の裏面側に下方から係止され、仮保持穴挿入用片部４９のストッパ部５６が、仮保持穴４５の下辺部の表面側に上方から当って取付用ブラケット３３の下方回動を規制することにより、取付用ブラケット３３の自重を利用した仮保持が行われる。
【００４３】
このように、この実施例によれば、仮保持部４０が、被取付部３２に設けられた仮保持穴４５と、取付用ブラケット３３のブラケット側取付部３４に設けられた仮保持形状部４６とを備え、仮保持穴４５と仮保持形状部４６とが、それぞれ取付穴３５，３６の横位置に形成されると共に、仮保持形状部４６が、仮保持穴４５へ挿入可能で且つ、取付用ブラケット３３の自重を利用して仮保持穴４５へ係止可能に構成されるようにしたことにより、自重を利用した仮保持が可能となるので手を離した状態でも取付作業を行うことができると共に、取付用ブラケット３３やブラケット側取付部３４に形状自由度が生じ、また、被取付部材３１や被取付部３２の位置や形状の制約が減るため、設計自由度を上げることができる。
【００４４】
また、仮保持形状部４６が、ブラケット側取付部３４における取付穴３５，３６の横位置から側方へ延設された延長部４７を、仮保持穴４５の面直方向奥側へ向くよう屈曲形成して成る仮保持穴挿入用片部４９であるようにしたことにより、仮保持形状部４６を容易に作成することが可能となる。
【００４５】
更に、仮保持穴挿入用片部４９が、仮保持穴４５の上辺部の裏面側に下方から係止可能な係止部５５と、仮保持穴４５の下辺部の表面側に上方から当って取付用ブラケット３３の下方回動を規制可能なストッパ部５６とを備えたことにより、自重を利用した確実な仮保持が可能となる。
【００４６】
そして、仮保持穴挿入用片部４９が、仮保持穴４５の上下寸法よりも大きな上下間隔を有してほぼ水平且つ平行に延びる上辺部５７および下辺部５８を有し、下辺部５８の先端側に、先端へ向かって漸縮形状となる斜面部５９を介して、仮保持穴４５の上下寸法よりも上下間隔が小さくなる穴挿入部６０が形成され、係止部５５が、穴挿入部６０の上側に設けられ、ストッパ部５６が、斜面部５９における穴挿入部６０との境界部６１から仮保持穴４５の肉厚分だけ後方寄りの位置に設けられたことにより、簡単な加工で有効に機能する仮保持穴挿入用片部４９を得ることができる。
【００４７】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。また、複数の実施例や変形例が示されている場合には、これらの可能な組合せが含まれることは勿論である。
【図面の簡単な説明】
【００４８】
【図１】本発明の実施例にかかる仮保持構造を示す全体的な斜視図である。
【図２】図１の部分拡大図である。
【図３】取付工程図である。
【図４】従来例の部分拡大図である。
【符号の説明】
【００４９】
３１  被取付部材
３２  被取付部
３３  取付用ブラケット
３４  ブラケット側取付部
３５  取付穴
３６  取付穴
３９  取付構造部
４０  仮保持部
４５  仮保持穴
４６  仮保持形状部
４７  延長部
４９  仮保持穴挿入用片部
５５  係止部
５６  ストッパ部
５７  上辺部
５８  下辺部
５９  斜面部
６０  穴挿入部
６１  境界部
【図１】
2007292256.tif 000003
【図２】
2007292256.tif 000004
【図３】
2007292256.tif 000005
【図４】
2007292256.tif 000006